(57)【要約】【課題】広告効果のある映像配信サービスを持続的に行うには多大な費用がかかる。本発明は動画像等の提供者と広告主そして利用者とを分離し、必要に応じて合成配信する広告配信サービスシステムを提供することにある。【解決手段】動画像等の映像の配信を行う配信サーバを有しインターネットで結合されたユーザの要求に応じて配信するサービスシステムにおいて、動画等の提供会員が動画像等の映像を作成し配信サーバに登録する登録端末と、前記配信サーバは、前記登録された動画像等とその作成会員ＩＤなどを格納する登録手段と、前記受信端末からの配信要求に応じて動画像等を前記登録手段から選択し、前記選択された動画像に対応した広告情報を合成し配信する配信手段から構成された配信サーバである広告配信サービスシステム。【選択図】　図１
2004110325.tif 000002
【特許請求の範囲】
【請求項１】
動画像等の映像の配信を行う配信サーバと、動画像等の映像の配信を配信サーバに要求して受信表示する受信端末と、広告を配信するための情報を管理する広告サーバとをインターネットを介して接続された広告配信サービスシステムにおいて、動画等の提供会員が動画像等の映像を作成し配信サーバに登録する登録端末と、前記配信サーバは、前記登録された動画像等とその作成会員ＩＤなどを格納する登録手段と、前記受信端末からの配信要求に応じて動画像等を前記登録手段から選択し、前記選択された動画像に対して広告情報を合成し配信する配信手段から構成された配信サーバであることを特徴とする広告配信サービスシステム。
【請求項２】
請求項１において、登録された動画像等が受信端末からの要求により利用された回数に応じて料金が加算され、あらかじめ定められた周期ごとに前記動画像提供会員に使用料を支払い、広告情報の合成回数に応じてその広告主に対して広告料を請求する管理サーバを有することを特徴とする広告配信サービスシステム。
【請求項３】
請求項２において、前記利用者は受信端末から動画像あるいは静止画像を指定し配信要求をし、前記配信サーバは前記指定された動画像あるいは静止画像と広告情報を合成し配信することを特徴とする広告配信サービスシステム。
【発明の詳細な説明】
【０００１】
【発明の属する技術分野】
本発明は、インターネットを介して動画像を配信するシステムに係り，前記動画像等を登録し、登録された画像等をユーザが選択指定したとき、その画像に広告情報を合成して配信する広告配信サービスシステムに関する。
【０００２】
【従来の技術】
【特許文献１】特開２００１−２８３０７９号公報
【特許文献２】特開２００２−０３２４０３号公報
近年、インターネットなどの公衆ネットワーク回線を通じて映像データを利用者の端末に配信し、再生可能とするサービスが普及してきている。このような映像配信システムの先行技術として前記特許文献１がある。これは動画像を含む任意のデータを伝送可能な通信ネットワークにおける特定の利用者間のプライベートな通信環境において、商品の広告宣伝サービスや電子商取引などの付加サービスについての開示がある。
また前記特許文献２は、通信ネットワークを介して配信する映像、音楽データ等のデータ中に広告データを挿入して配信するデータ配信システムに関する開示がある。いずれにしてもそのシステムは図７に示すシステム構成を有している。すなわち、ＣＭ提供サーバ６０３、配信サーバ６０２を用いて映像の途中や映像上に文字などの広告情報を挿入して配信するシステムである。そして利用者は、インターネット６０４を介して接続した受信端末６０１上にそれを表示することを可能としている。
【０００３】
【発明が解決しようとする課題】
しかしながら、このようなシステムの場合、前記特許文献１の記載に見られるように、動画像上に広告を挿入する領域を設定し、設定された領域に、動画や静止画などで提供される広告を挿入して配信している。また、挿入する広告情報は広告主が提供したい広告の電子データを別途作成して準備し、これを映像配信システムの管理者に対して提供する方法をとっている。このため広告主にとっては広告データ作成の費用がかかることになる。
【０００４】
しかし、このような広告主は一般にインターネット上で商品を売買するためのＥＣサイト（電子商取引）を持っており、このサイト上で商品を紹介するための商品の画像や説明のための電子データを所有している。また、映像配信システムの管理者は、常に新鮮なデータを利用者に対して提供しないと、提供する映像の内容が陳腐化し閲覧数が減少してしまい、広告の効果をあげるために十分な数の利用者へ、情報の提供ができなくなってしまう。そのために、常に新しい映像を作成しなければならず、多大な費用がかかってしまう。
【０００５】
前記のような事情により、本発明の課題は、映像登録会員制を採用し、会員自身による映像の登録を促進することによって、映像配信システムの管理者が行う映像の更新作業を少なくし、低コストにて映像配信のサイト運用が可能にすることにある。また、映像の閲覧者にとっては常に新鮮な情報を映像配信のサイトから取得することが可能であり、また、広告主であるＥＣ運営者にとっては、ＥＣサイトで使用している電子データ以外に別途広告用の電子データを作ることなく、効果的な広告が可能である広告配信のサービスを提供することにある。
【０００６】
【課題を解決するための手段】
本発明は、以下のシステムにより上記課題を解決することができる。
動画像等の映像の配信を行う配信サーバと、動画像等の映像の配信を配信サーバに要求して受信表示する受信端末と、広告を配信するための情報を管理する広告サーバとをインターネットを介して接続された広告配信サービスシステムにおいて、動画等の提供会員が動画像等の映像を作成し配信サーバに登録する登録端末と、前記配信サーバは、前記登録された動画像等とその作成会員ＩＤなどを格納する登録手段と、前記受信端末からの配信要求に応じて動画像等を前記登録手段から選択し、前記選択された動画像に対応した広告情報を合成し配信する配信手段から構成された配信サーバを有する広告配信サービスシステム。
【０００７】
また、前記登録された動画像等が、受信端末からの要求により利用された回数に応じて料金が加算され、あらかじめ定められた周期ごとに前記動画像提供会員に使用料を支払い、広告情報の合成回数に応じてその広告主に対して広告料を請求する管理サーバを有すること。また、前記利用者は受信端末から動画像あるいは静止画像を指定し配信要求を行うことができる広告配信サービスシステム。
【０００８】
【発明の実施の形態】
以下、本発明の一実施例について、図を用いて説明する。
図１は、本発明の構成例を示している。画像提供会員は、登録端末１０１により作成した動画像などの映像を、配信サーバ１０４に登録する。受信端末１０２はいわゆるユーザの端末で、配信サーバ１０４からの配信を要求して受信し、配信された映像を再生表示して利用する。管理サーバ１０３は、登録端末１０１から配信サーバ１０４に登録された映像の情報や広告サーバ１０５に登録している広告の情報、会員の情報を保存する。配信サーバ１０４は登録された映像を保管すると共に受信端末１０２からの配信要求に従って配信する。広告サーバ１０５はＥＣサーバ１０６から取得した広告に利用可能な情報を保存する。
【０００９】
ＥＣサーバ１０６はインターネット上で受信端末をもつユーザとの間で商品の売買を実施することもできる。これらのサーバおよび端末は、それぞれインターネット１０７上で相互にアクセス可能なシステムを構成している。したがって、配信サーバ１０４、広告サーバ１０５、管理サーバ１０３は例えば広告代理店あるいは広告管理者としての構成であり、これに広告主のＥＣサーバ１０６、があり、画像提供者が動画像等を登録する登録端末１０１、そしてｎ個のユーザの受信端末装置１０２から構成されるシステムとみることもできる。この３者の管理サービスをおこなうシステムを構成する。これが、本システムの概要である。
【００１０】
次に、図２Ａ、２Ｂを用いてそれぞれの動作を説明する。図２Ａは本発明を構成するそれぞれの端末およびサーバ等の機能構成を示すブロック図である。図２Ａの（２ａ）は登録端末１０１の内部構成を示している。カメラなどで撮影された動画を含む映像（動画像等）は、映像提供会員が映像入力手段２０１により入力する。そして、入力された映像は、変換手段２０２により電子化ファイルとして登録保存する。映像は映像提供会員からの映像が入力される。また、操作者（あるいは管理者）は撮影され入力された映像の内容を示す文書や、登録者の会員ＩＤ等を情報入力手段２０３にて入力する。
【００１１】
例えば、撮影した映像がＡ式場で行われた結婚式の映像である場合は、文書の内容は、「結婚式、Ａ式場」のようになる。そして、これはテキストエディタ等を用いて入力し、ファイルに保存する。通信手段２０４は、デジタル化した映像のファイルと、映像の内容を示すファイルをインターネッと１０７を介して、配信サーバ１０４に送信する。
【００１２】
図２Ａの（２ｂ）は、ユーザが使用する受信端末１０２の内部構成を示すブロック図である。受信端末１０２は、配信要求手段２１２により、通信手段２１３、インターネット１０７を介して、配信サーバ１０４に配信してもらう映像のデータを要求する。映像の配信指示は例えば、インターネット１０７のＵＲＬ（Ｕｓｅｒ　Ｒｅｑｕｉｒｅｍｅｎｔ　　Ｌａｎｇｕａｇｅ）表記で配信サーバ１０４上にある映像のファイルを直接指定することもできる。配信サーバ１０４のインターネット１０７上でのドメイン名が「ｍｏｖｉｅ．ｃｏｍ」であり、配信サーバ１０４上での映像のファイル名が「ｂｒｉ．ｗｍｖ」であればそのＵＲＬ表記は「ｍｏｖｉｅ．ｃｏｍ／ｂｉｒ．ｗｍｖ」のようにして指定することが出来る。指定された映像のデータが配信サーバ１０４から配信されると、これを通信手段２１３が受信して、映像データを取得する。取得した映像データは表示手段２１１にてディスプレイなどの画面に表示される。この受信端末からは、動画の配信を要求するのか、あるいは静止画の配信を要求するのか、などの指定を行うことができる。そして受信した映像には広告主による広告が合成されている。そして、ユーザはその広告を通じて、広告主との直接的な製品紹介などを請求することもできる。
【００１３】
図２Ａの（２ｃ）は管理サーバ１０３の内部構成を示すブロック図である。映像管理手段２２１は配信サーバ１０４に登録する映像データの管理を行うデータを保存する。例えば配信サーバ１０２には図３に示す映像データ（３ｃ）が格納される。このデータに対して映像管理手段２２１には図３に示す映像管理データ（３ｂ）が格納される。これらのデータは映像ＩＤにより互いに対応するデータを見つける事ができる。映像管理データ（３ｂ）には、登録した会員の会員ＩＤ、登録端末１０１の情報入力手段２０３によって入力した映像の内容を示すデータが登録される嗜好、広告サーバ１０５によって設定される広告ＩＤが登録される。
【００１４】
ここで嗜好としているのはユーザがどんな趣味を持っていて、どういう画像を好むかの指定をすることができること、あるいは過去のユーザのアクセス情報に基づいて学習し、ユーザの嗜好を予め把握しておくことから、嗜好欄としている（多種類の分野別情報という意味である）。この欄はいま二つの例示に過ぎないが、多くの分野の動画像、静止画像（写真）が用意されていて、利用者はその中から必要とする画像を選ぶことができる。
【００１５】
会員管理手段２２２は特に登録端末１０１を用いて映像の登録を行う会員の情報を保存する。会員の情報を図３の会員管理データ（３ａ）に示す。会員管理データ（３ａ）には、会員の会員ＩＤ、登録した映像の閲覧があった場合の使用料金、その料金を振り込む口座番号が格納される。ここでは、登録した映像がユーザによって利用されれば、例えば利用（アクセス）された回数に応じて画像提供者に画像利用料を支払うシステムの例を示している。図３の（３ａ）は会員ＩＤ９９９の会員の画像は頻繁に利用があり、利用料金が１０００円になっていることを表している。
【００１６】
一方会員ＩＤ１２３の画像はまだ利用が無く、料金はゼロになっていることを示している。会員の画像等に料金が発生した場合、料金精算手段２２３は予め定められた周期ごとに、例えば月に１回起動し、通信手段２２４を介して会員管理データ（３ａ）の口座番号に登録されている番号に会員管理データ（３ａ）の収入欄に設定されている金額を振り込み、振込み後は金額を０円にリセットする。広告主に対しても全く同じで、広告に使用した回数により課金をし、管理サーバを有する広告会社あるいは管理者は広告料として広告主に請求することになる。
【００１７】
図２Ｂも前記図２Ａと同様に本発明を構成するそれぞれの端末およびサーバ等の機能構成を示すブロック図である。図２Ｂの（２ｄ）は、配信サーバ１０４の内部構成を示すブロック図である。初めに図４を用いて登録手段２３２による登録の流れを説明する。配信サーバ１０４に登録端末１０１から登録の要求があると、登録手段２３２は通信手段２３４を介して映像の電子化されたファイルとその内容を説明しているファイルを取得する（ステップ４０１、４０２）。
【００１８】
次に登録手段２３２は映像の電子ファイルを映像記憶手段２３１の映像データ（３ｃ）に格納する（ステップ４０３）と共に、映像の内容を示すファイルから会員ＩＤと内容を取り出し、管理サーバ１０３の映像管理手段２２１にある映像管理データ（３ｂ）を作成する（ステップ４０４）。例えば映像の電子ファイル名が「ｂｒｉ．ｗｍｖ」、映像の内容を示すファイルに会員ＩＤが「９９９」、内容が「結婚式、Ａ式場」であるならば、映像データ３ｃには他の映像データに重複しないように見つけられた番号を映像ＩＤに、映像ファイル名には「ｂｒｉ．ｗｍｖ」、映像管理データ（３ｂ）の会員ＩＤには「９９９」、嗜好には「結婚式、Ａ式場」が登録される。
【００１９】
次に、内容のデータと広告サーバ１０５に格納される図３に示す広告管理データ（３ｄ）の嗜好の部分の照合を行い（ステップ４０５）、内容の近い広告があるかを判定する（ステップ４０８）。内容の近い広告があった場合は、その広告ＩＤを映像管理データ（３ｂ）に登録する。内容が近いとは例えば、映像の内容として「結婚式、Ａ式場」があり、広告管理データ（３ｄ）の広告ＩＤが「１」のデータの嗜好に「Ａ式場」がある場合は映像管理データ（３ｂ）の広告ＩＤに「１」を登録する（ステップ４０６）。複数ある場合や該当する広告管理データ（３ｄ）が無い場合は、広告料金の高い広告あるいは安い広告ＩＤを取得し（ステップ４０７）、映像管理データ３ｂの広告ＩＤに登録する（ステップ４０６）。これは管理サーバにより、あらかじめ設定されることが多い。
【００２０】
次に配信手段２３３について図５を用いて説明する。配信手段２３３は受信端末１０２から映像の配信の要求があると、配信する映像のＩＤに一致する映像管理データ３ｂを映像管理手段２２１から取り出す（ステップ５０１）。次に取り出した映像管理データ（図３の（３ｂ））の広告ＩＤに一致する広告管理データ（図３の（３ｄ））を取り出す（ステップ５０２）。取り出した広告管理データ（（図３の（３ｄ））の商品ＩＤからＥＣサーバ１０６にある商品ＩＤが一致する商品情報データ（図３の（３ｅ））を検索し、情報種別と情報データを取り出す（ステップ５０３）。取り出した情報データを情報種別に合わせて広告として映像データと合成して映像の配信を行う（ステップ５０４）。
【００２１】
映像の合成については、例えば前記特許文献１に示されるように、動画像上に広告を挿入する領域を設定し、その領域に動画や静止画などで提供される広告を挿入することによって実現する。実際には映像の右下の予め定められた領域に設定される。また配信の実施と共に配信手段２３３は、映像管理データ（図３の（３ｂ））から会員ＩＤ、広告管理データ（（図３の（３ｄ））から広告料金を取り出し（ステップ５０５、５０６）、会員管理手段２２２にある会員管理データ（図３の（３ａ））から会員ＩＤの一致するデータに対して広告管理データ（図３の（３ｄ））の広告料金を会員管理データ（図３の（３ａ））の利用料金に加算する（ステップ５０７）。
【００２２】
図２Ｂの（２ｅ）は広告サーバ１０５の内部構成を示している。収集手段２４２は通信手段２４４を介してＥＣサーバ１０６の商品記憶手段２５３にある商品情報データ（図３の（３ｅ））から広告管理データ（３ｄ）に未登録の商品ＩＤを検索する。未登録の商品ＩＤがあれば、図３の広告管理データ（３ｄ）に追加すると共に、広告入力手段２４１から関連ＥＣサイトのＵＲＬ、嗜好、広告料金の入力を行わせる。また、配信形式は図３の商品情報データ（３ｅ）の情報種別と一致する。これは例えば商品情報データ（３ｅ）の情報データが動画であれば情報形式は動画であり、結果として広告の配信形式も動画となるためである。
【００２３】
図２Ｂの（２ｆ）はＥＣサーバ１０６の内部構成を示している。商品売買手段２５２は例えばＷＥＢブラウザ上で動作する商品の購買サイトである。この購買サイトは商品記憶手段２５３に格納される図３の商品情報データ（３ｅ）に元ヅ意ｔレを元に表示される。例えば商品情報データ（３ｅ）に「商品Ａ」として情報データとして商品の画像が登録されていれば、その画像が購買サイトに表示されて購買サイト上での商品の紹介として使用される。商品情報データ（３ｅ）の登録は商品入力手段２５１によって行われる。
【００２４】
また、画像等の登録会員、広告主、ユーザの３者を結びつけているのは、インターネットによる広告管理者（広告代理店等）であって、これらの構成を示すと図６のようになる。すなわち動画像等の登録会員が映像を登録し，その映像が利用されたことによって管理者から料金を得る。また広告主は広告を登録しておいて、前記映像に合成して宣伝してもらう。その場合、例えば、広告に使用された回数によって、広告主は広告料金を管理者に支払うことになる。またユーザは有料でアクセスすることになるので、管理者は前記３者の利用状況を管理し、支払いあるいは請求をし、ビジネスシステムを構成する。
【００２５】
本発明によれば会員自身による映像の登録を促進することによって、映像の配信システムの管理者が行う映像の更新作業が少なくなることから、低コストにて映像配信にサイトの運用が可能であり、また、映像の閲覧者にとっては、常に新鮮な情報を取得することが可能であり、また、広告主であるＥＣ運営者にとっては、広告用の電子データを用意することなく効果的な広告が可能である広告配信のサービスを提供することが出来る。
【００２６】
【発明の効果】
以上のように本発明によれば、会員自身による映像の登録を促進することによって、映像の配信システムの管理者が行う映像の更新作業を少なくできることから低コストにて映像配信のサイトの運用が可能であり、また、映像の閲覧者にとっては常に新鮮な情報を取得することが可能であり、また、広告主であるＥＣ運営者にとっては広告用の電子データを用意することなく効果的な広告が可能である広告配信のサービスを提供することが出来る。
【図面の簡単な説明】
【図１】システム全体のブロック構成図である。
【図２Ａ】各端末の構成であり、登録端末（２ａ）、受信端末（２ｂ）、管理サーバ（２ｃ）の例を示す図である。
【図２Ｂ】各端末の構成であり、配信サーバ（２ｄ）、広告サーバ（２ｅ）、管理サーバ、ＥＣサーバ（２ｆ）の例を示す図である。
【図３】管理データの例を示す図であり、（３ａ）は会員管理データ、（３ｂ）は映像管理データ、（３ｃ）は映像データ、（３ｄ）は広告管理データ、（３ｅ）は商品情報データの例である。
【図４】配信サーバ上の登録手段の動作を説明するための図である。
【図５】配信サーバ上の配信手段の動作を説明するための図である。
【図６】ビジネスモデルシステムの概要を示す図である。
【図７】従来のシステムの構成例を示す図である。
【符号の説明】
１０１；登録端末　１０２；受信端末　１０３；管理サーバ　１０４；配信サーバ　１０５；広告サーバ　１０６；ＥＣサーバ　２０１；映像入力手段　２０３；情報入力手段　２０４、２１３，２２４，２３４，２４４，２５４；通信手段　２１１；表示手段　２１２；配信要求手段　２２１；映像管理手段　２３１；映像記憶手段　２３２；登録手段　２４１；広告入力手段　２５１；商品入力手段　２５３；商品記憶手段。
【図１】
2004110325.tif 000003
【図２Ａ】
2004110325.tif 000004
【図２Ｂ】
2004110325.tif 000005
【図３】
2004110325.tif 000006
【図４】
2004110325.tif 000007
【図５】
2004110325.tif 000008
【図６】
2004110325.tif 000009
【図７】
2004110325.tif 000010